(57)【要約】      （修正有）【課題】被取付物に取り付けられている手すり止め具がブラケットで覆い隠されて見えない体裁の良い手すりを提供する。【解決手段】手すりブラケットＡを、手すりＢを取り付けるべき被取付物Ｃに取り付け得る手すり止め具１と、前記手すりＢに取り付けることができるとともに、前記手すり止め具１に嵌着してその周囲を覆い隠すことができるブラケット４とからなるものとする。前記被取付物Ｃに前記手すり止め具１を取り付ける。また、前記手すり止め具１に嵌着してその周囲を覆い隠すことができるブラケット４を手すりＢに固定する。そして、手すりＢに固定されたこのブラケット４を前記手すり止め具１に嵌着して前記被取付物Ｃに取り付けられている手すり止め具１の周囲を覆い隠すとともに、前記手すり止め具１と前記ブラケット４とをねじで固定する。【選択図】図４
0003153963.tif 000002
【実用新案登録請求の範囲】
【請求項１】
手すりＢを取り付けるべき壁面その他の被取付物Ｃに取り付け得る手すり止め具１と、前記手すりＢに取り付けることができるとともに、前記手すり止め具１に嵌着してその周囲を覆い隠すことができるブラケット４とからなることを特徴とする手すりブラケット。
【請求項２】
手すり止め具１に嵌着したとき、手すり止め具１が嵌入せしめられるブラケット４の窪み４ａ及び差込孔４ｂを、横長としたことを特徴とする請求項１記載の手すりブラケット。
【請求項３】
手すり止め具１に垂直方向に貫通する孔が形成されており、この孔にねじ込むねじＥは手すり止め具１から貫通して突出する側の孔３ｂと係合し、手すり止め具１にねじ込まれる側の孔３ａとは係合しないことを特徴とする請求項１又は２記載の手すりブラケット。
【請求項４】
手すりＢを取り付けるべき壁面その他の被取付物Ｃに手すり止め具１を取り付け、前記手すり止め具１に嵌着してその周囲を覆い隠すことができるブラケット４を手すりＢに固定し、手すりＢに固定されたこのブラケット４を前記手すり止め具１に嵌着して前記被取付物Ｃに取り付けられている手すり止め具１の周囲を覆い隠すとともに、前記手すり止め具１と前記ブラケット４とをねじＥで固定したことを特徴とする手すり取付構造。
【請求項５】
手すり止め具１に嵌着したとき、手すり止め具１が嵌入せしめられるブラケット４の窪み４ａ及び差込孔４ｂを、横長としたことを特徴とする請求項４記載の手すり取付構造。
【請求項６】
手すり止め具１に形成されている垂直方向に貫通する孔に、ブラケット４から垂直方向の上向きにねじＥをねじ込むとともに、このねじＥは手すり止め具１から貫通して突出する側の孔３ｂと係合させ、手すり止め具１にねじ込まれる側の孔３ａとは係合させないことを特徴とする請求項４又は５記載の手すり取付構造。
【考案の詳細な説明】
【技術分野】
【０００１】
本考案は、壁面その他の被取付物に手すりを取り付ける場合に用いる手すりブラケットと、この手すりブラケットを用いた手すり取付構造に関するものである。
【背景技術】
【０００２】
壁面その他の被取付物に手すりを取り付けるに当っては、通常、壁面その他の被取付物にねじで手すり取付金具を固定し、この取付金具にねじで手すりを取り付けている（例えば、特許文献１、２参照）。
【先行技術文献】
【特許文献】
【０００３】
【特許文献１】特公平３−６５４５２号公報
【０００４】
【特許文献２】特開平７−１９７６１９号公報
【考案の概要】
【考案が解決しようとする課題】
【０００５】
このような取り付け方であれば、壁面その他の被取付物にねじで固定された手すり取付金具がそのまま見えるのみならず、前記被取付物に手すり取付金具を固定するためのねじや、前記手すり取付金具に手すりを固定するためのねじも見えるので、施工後の体裁が悪い。また、手すり取付金具がそのまま見えるので、手すり取付金具をそれだけ高価なものとせざるを得ず、意匠的にも優れたものとしなければならない。
【課題を解決するための手段】
【０００６】
このような欠点を解消するために、本考案では、手すりブラケットＡを、手すりＢを取り付けるべき壁面その他の被取付物Ｃに取り付け得る手すり止め具１と、前記手すりＢに取り付けることができるとともに、前記手すり止め具１に嵌着してその周囲を覆い隠すことができるブラケット４とからなるものとした。
この手すりブラケットＡを用いた場合には、壁面その他の被取付物Ｃに手すりＢを取り付けたとき、壁面その他の被取付物Ｃに取り付けられている手すり止め具１がブラケット４で覆い隠されて見えないので、体裁の良い手すりを施工できる。また、手すり止め具１とブラケット４とを固定するためのねじＥや、ブラケット４と手すりＢとを固定するためのねじＦも見えないので、より体裁の良い手すりを施工できる。
【０００７】
手すり止め具１に嵌着したとき、手すり止め具１が嵌入せしめられるブラケット４の窪み４ａ及び差込孔４ｂを、横長とすることが好ましい。
この手すりブラケットＡを用いた場合には、壁面その他の被取付物Ｃに取り付けられている手すり止め具１に対して、手すりＢを固定したブラケット４の取付位置が多少ずれていても、その誤差を前記横長の窪み４ａ及び差込孔４ｂで吸収することができるので、前記手すり止め具１にブラケット４と手すりＢとを取り付ける作業を容易に行うことができる。
【０００８】
手すり止め具１に垂直方向に貫通するねじ孔が形成されており、このねじ孔にねじ込むねじＥが手すり止め具１から貫通して突出する側のねじ孔３ｂと係合し、手すり止め具１にねじ込まれる側のねじ孔３ａとは係合しないものとすることが好ましい。
この手すりブラケットＡを用いた場合には、その構成部材である手すり止め具１とブラケット４の加工精度にばらつきがあって、取付時に手すり止め具１のねじ孔３ａとブラケット４のねじ孔４ａが多少ずれることがあったとしても、あるいは、壁面その他の被取付物Ｃがやわらかくてそれに取り付けるべき手すり止め具１がねじの締め付けにより前記被取付物Ｃに食い込んで、手すり止め具１のねじ孔３ａとブラケット４のねじ孔４ａが多少ずれたとしても、その誤差を大きい孔である前記ねじ孔３ａが吸収してくれるので、手すりＢを壁面その他の被取付物Ｃに容易に取り付けることができる。
【０００９】
一方、本考案による手すり取付構造は、手すりＢを取り付けるべき壁面その他の被取付物Ｃに手すり止め具１を取り付け、前記手すり止め具１に嵌着してその周囲を覆い隠すことができるブラケット４を手すりＢに固定し、手すりＢに固定されたこのブラケット４を前記手すり止め具１に嵌着して前記被取付物Ｃに取り付けられている手すり止め具１の周囲を覆い隠すとともに、前記手すり止め具１と前記ブラケット４とをねじＥで固定することを特徴とするものである。
この手すり取付構造によれば、壁面その他の被取付物Ｃに取り付けられている手すり止め具１がブラケット４で覆い隠されて見えないので、施工後の手すりの体裁が良い。また、手すり止め具１とブラケット４とを固定するためのねじＥや、ブラケット４と手すりＢとを固定するためのねじＦも見えないので、施工後の手すりの体裁が一層良い。
【００１０】
手すり止め具１に嵌着したとき、手すり止め具１が嵌入せしめられるブラケット４の窪み４ａ及び差込孔４ｂを、横長とすることが好ましい。
この手すり取付構造によれば、壁面その他の被取付物Ｃに取り付けられている手すり止め具１に対して、手すりＢを固定したブラケット４の取付位置が多少ずれていても、その誤差を前記横長の窪み４ａ及び差込孔４ｂで吸収することができるので、前記手すり止め具１にブラケット４と手すりＢとを取り付ける作業を容易に行うことができる。
【００１１】
手すり止め具１に形成されている垂直方向に貫通するねじ孔に、ブラケット４から垂直方向の上向きにねじＥをねじ込むとともに、このねじＥは手すり止め具１から貫通して突出する側のねじ孔３ｂと係合させ、手すり止め具１にねじ込まれる側のねじ孔３ａとは係合させないものとすることが望ましい。
この場合には、垂直方向に貫通するねじ孔にねじＥをねじ込みやすい。また、本考案による手すりブラケットＡを用いて壁面その他の被取付物Ｃに手すりＢを取り付けるに当って、その構成部材である手すり止め具１とブラケット４の加工精度にばらつきがあって、取付時に手すり止め具１のねじ孔３ａとブラケット４のねじ孔４ａが多少ずれることがあったとしても、あるいは、壁面その他の被取付物Ｃがやわらかくてそれに取り付けるべき手すり止め具１がねじの締め付けにより前記被取付物Ｃに食い込んで、手すり止め具１のねじ孔３ａとブラケット４のねじ孔４ａが多少ずれたとしても、その誤差を大きい孔である前記ねじ孔３ａが吸収してくれるので、手すりＢを壁面その他の被取付物Ｃに容易に取り付けることができる。
【考案の効果】
【００１２】
請求項１記載の手すりブラケットを用いた場合には、壁面その他の被取付物Ｃに取り付けられている手すり止め具１がブラケット４で覆い隠されて見えないので、体裁の良い手すりを施工できる。また、手すり止め具１とブラケット４とを固定するためのねじＥや、ブラケット４と手すりＢとを固定するためのねじＦも見えないので、より体裁の良い手すりを施工できる。
【００１３】
請求項２記載の手すりブラケットを用いた場合には、壁面その他の被取付物Ｃに取り付けられている手すり止め具１に対して、手すりＢを固定したブラケット４の取付位置が多少ずれていても、前記手すり止め具１にブラケット４と手すりＢとを取り付ける作業を容易に行うことができる。
【００１４】
請求項３記載の手すりブラケットを用いた場合には、その構成部材である手すり止め具１とブラケット４の加工精度にばらつきがあって、取付時に手すり止め具１のねじ孔３ａとブラケット４のねじ孔４ａが多少ずれることがあったとしても、あるいは、壁面その他の被取付物Ｃがやわらかくてそれに取り付けるべき手すり止め具１がねじの締め付けにより前記被取付物Ｃに食い込んで、手すり止め具１のねじ孔３ａとブラケット４のねじ孔４ａが多少ずれたとしても、その誤差を大きい孔である前記ねじ孔３ａが吸収してくれるので、手すりＢを壁面その他の被取付物Ｃに容易に取り付けることができる。
【００１５】
請求項４記載の考案によれば、壁面その他の被取付物Ｃに取り付けられている手すり止め具１がブラケット４で覆い隠されて見えないので、施工後の手すりの体裁が良い。また、手すり止め具１とブラケット４とを固定するためのねじＥや、ブラケット４と手すりＢとを固定するためのねじＦも見えないので、施工後の手すりの体裁が一層良い。
【００１６】
請求項５記載の考案によれば、壁面その他の被取付物Ｃに取り付けられている手すり止め具１に対して、手すりＢを固定したブラケット４の取付位置が多少ずれていても、前記手すり止め具１にブラケット４と手すりＢとを取り付ける作業を容易に行うことができる。
【００１７】
請求項６記載の考案によれば、垂直方向に貫通するねじ孔にねじＥをねじ込みやすい。また、本考案による手すりブラケットＡを用いて壁面その他の被取付物Ｃに手すりＢを取り付けるに当って、その構成部材である手すり止め具１とブラケット４の加工精度にばらつきがあって、取付時に手すり止め具１のねじ孔３ａとブラケット４のねじ孔４ａが多少ずれることがあったとしても、あるいは、壁面その他の被取付物Ｃがやわらかくてそれに取り付けるべき手すり止め具１がねじの締め付けにより前記被取付物Ｃに食い込んで、手すり止め具１のねじ孔３ａとブラケット４のねじ孔４ａが多少ずれたとしても、その誤差を大きい孔である前記ねじ孔３ａが吸収してくれるので、手すりＢを壁面その他の被取付物Ｃに容易に取り付けることができる。
【図面の簡単な説明】
【００１８】
【図１】本考案による手すりブラケットの主要構成部品の一例を示す図で、(a)は斜視図、(b)はその断面図である。
【図２】図１に示す手すりブラケットを、階段横の壁面である被取付物に所定の間隔をおいて取り付けた状態を示す斜視図である。
【図３】ブラケットをねじで手すりに固定した状態を示す横断面図である。
【図４】壁面である被取付物にねじで固定した図１に示す手すりブラケットに、ねじで手すりに固定されたブラケットを嵌着する前の状態を示す断面図である。
【図５】壁面である被取付物にねじで固定した図１に示す手すりブラケットに、ねじで手すりに固定されたブラケットを嵌着し、さらに、垂直方向に貫通する孔にねじをねじ込んで壁面である被取付物に手すりを取り付けた状態を示す断面図である。
【図６】階段横の壁面である被取付物に手すりを設置した状態を示す斜視図である。
【図７】手すりブラケットの垂直方向に貫通するねじ孔に、ねじをねじ込んで壁面である被取付物に手すりを取り付けた場合において、手すりに荷重が掛かった時のブラケットに作用する力を説明するための概略図である。
【考案を実施するための形態】
【００１９】
本考案を実施するための形態について、図面を参照しながら詳細に説明する。ここには、本考案による手すりブラケットＡを用い、階段横の壁面である被取付物Ｃに長尺状の手すりＢを取り付ける場合を例に挙げて説明する。そして、ここには、手すりブラケットＡが図１に示すように、前記被取付物Ｃに取り付け得る手すり止め具１と、前記手すりＢに取り付けることができるとともに、前記手すり止め具１に嵌着してその周囲を覆い隠すことができるブラケット４とからなる場合を例示する。
【００２０】
前記手すり止め具１には取付座２が備えられており、この取付座２にはねじ孔２ａが上側に左右対称的に２つ、下側にはその中心線上に１つ形成されている。これらのねじ孔２ａ、２ａにねじＤをねじ込むことにより、図４の右側、図５、図６に示すように、手すり止め具１を階段横の壁面である被取付物Ｃに取り付けることができる。
【００２１】
前記取付座２の中心位置から固定腕３が延び出させてあり、この固定腕３には垂直方向に貫通するねじ孔３ａ、３ｂが形成されている。固定腕３は中実状のものでも良いが、ここでは、固定腕３を円筒状とした場合を例示するので、垂直方向の上向きにねじＥがねじ込まれる側のねじ孔を３ａとし、ねじＥが貫通して固定腕３から突出する側のねじ孔を３ｂとして説明する。
そして、ねじＥがねじ込まれる側のねじ孔３ａの大きさを、ねじＥの大径部のねじ径より大きくし、また、ねじＥが貫通して突出する側のねじ孔３ｂの大きさを、ねじＥの先端付近のねじ径より小さくしてある。従って、垂直方向に貫通するねじ孔３ａ、３ｂに垂直方向の下側からねじＥをねじ込んだとき、ねじ込まれる側のねじ孔３ａには全く接触しないので、そのままねじ込みやすい。一方、ねじＥが貫通して突出する側のねじ孔３ｂでは、ねじＥがねじ孔３ｂと係合する。
【００２２】
なお、前記手すり止め具１の取付座２と固定腕３は、一体的に製造しても良いし、両者を別個に製造し、溶接により結合させても良い。前者の場合、製品のコストを比較的安くできるが、金型が極めて高くなる。逆に、後者の場合には、金型は比較的安いが、製品のコストは高くなる。
【００２３】
前記手すり止め具１に嵌着してその周囲を覆い隠すことができるブラケット４には、図１(a)、(b)に示すように、その内端面を一部窪ませて前記手すり止め具１の取付座２を嵌め込み得るやや横長の窪み４ａが、また、その中心位置には前記窪み４ａから他の側に貫通するやや横長の差込孔４ｂが、さらに、図１(b)に示すように、下面から差込孔４ｂに達するねじ孔４ｃが形成されている。前記差込孔４ｂには、前記手すり止め具１の固定腕３を嵌入することができる。
【００２４】
図３に示すように、このブラケット４を水平方向のねじＦで手すりＢに固定することができる。この場合において、手すりＢの内端面にも前記差込孔４ｂと連通する差込孔ｂを形成しておくと良い。手すりＢに固定したブラケット４を手すり止め具１に嵌着したとき、この差込孔ｂに手すり止め具１の固定腕３の先端を嵌入することができる。
【００２５】
ここに例示する手すりブラケットＡはこのような構造のものである。この手すりブラケットＡを用いた場合には、階段横の壁面である被取付物Ｃに手すりＢを取り付けたとき、階段横の壁面である被取付物Ｃに取り付けられている手すり止め具１がブラケット４で覆い隠されて見えないので、体裁の良い手すりを施工できる。また、手すり止め具１とブラケット４とを固定するためのねじＥや、ブラケット４と手すりＢとを固定するためのねじＦも見えないので、より体裁の良い手すりを施工できる。
【００２６】
図１(a)に示すように、ここに例示するブラケット４には、手すり止め具１に嵌着したとき、手すり止め具１が嵌入せしめられる横長の窪み４ａ及び差込孔４ｂが形成されている。
この手すりブラケットＡを用いた場合には、階段横の壁面である被取付物Ｃに取り付けられている手すり止め具１に対して、手すりＢを固定したブラケット４の取付位置が多少ずれていても、その誤差を前記横長の窪み４ａ及び差込孔４ｂで吸収することができるので、前記手すり止め具１にブラケット４と手すりＢとを取り付ける作業を容易に行うことができる。
【００２７】
そして、ここには、手すり止め具１に垂直方向に貫通するねじ孔３ａ、３ｂが形成されており、両ねじ孔３ａ、３ｂにねじ込むねじＥが手すり止め具１から貫通して突出する側のねじ孔３ｂと係合し、手すり止め具１にねじ込まれる側のねじ孔３ａとは係合しないものとした場合が例示されている。
この手すりブラケットＡを用いた場合には、垂直方向に貫通するねじ孔３ａから３ｂにねじＥをねじ込みやすい。また、この手すりブラケットＡの構成部材である手すり止め具１とブラケット４の加工精度にばらつきがあって、取付時に手すり止め具１のねじ孔３ａとブラケット４のねじ孔４ａが多少ずれることがあったとしても、あるいは、壁面その他の被取付物Ｃがやわらかくてそれに取り付けるべき手すり止め具１がねじの締め付けにより前記被取付物Ｃに食い込んで、手すり止め具１のねじ孔３ａとブラケット４のねじ孔４ａが多少ずれたとしても、その誤差を大きい孔である前記ねじ孔３ａが吸収してくれるので、手すりＢを壁面その他の被取付物Ｃに容易に取り付けることができる。
【００２８】
垂直方向に貫通するねじ孔３ａ、３ｂの大きさに関して、図７に基づいてさらに詳しく説明すると、設置された手すりＢに荷重が掛かると、被取付物ＣにはラインＯを原点として、ラインＯより上側ではブラケット４が被取付物Ｃ面から離れる方向の引張力が、ラインＯより下側ではブラケット４が被取付物Ｃ面に潜り込む方向の圧縮力が掛かる。
この場合において、手すり止め具１から貫通して突出する側のねじ孔３ｂがねじＥのねじ径より大きくてねじＥがねじ孔３ｂに係合していないと、手すりＢに荷重が掛かった時のブラケット４には被取付物Ｃ面から離れる方向の力が掛かり、ブラケット４と前記被取付物Ｃとの間に隙間が生じて見映えが悪い。
これに対して、手すり止め具１から貫通して突出する側のねじ孔３ｂがねじＥのねじ径より小さくてねじＥがねじ孔３ｂに係合していると、ブラケット４には被取付物Ｃ面に押し付けられる方向の力が掛かり、ブラケット４と前記被取付物Ｃとの間に隙間が生じないので見映えが良い。
【００２９】
次に、この手すりブラケットＡを用いて手すりＢを階段横の壁面である被取付物Ｃに取り付けるための施工作業について、以下詳細に説明する。
まず、図４の右側に示すように、手すり止め具１の取付座２のねじ孔２ａにねじＤをねじ込み、図２に示すように、手すりＢを取り付けるべき階段横の壁面である被取付物Ｃに手すり止め具１を取り付ける。次いで、図３に示すように、前記被取付物Ｃに取り付けられた手すり止め具１に嵌着してその周囲を覆い隠すことができるブラケット４を手すりＢに固定する。そして、手すりＢに固定されたこのブラケット４を、図４の矢印で示すように動かして前記被取付物Ｃに取り付けられた手すり止め具１に嵌着し、図５に示すように、前記被取付物Ｃに取り付けられている手すり止め具１の周囲を覆い隠すとともに、ブラケットのねじ孔４ｃから手すり止め具１のねじ孔３ｂ、３ａと順次ねじＥをねじ込み、前記手すり止め具１と前記ブラケット４とをねじＥで固定する。
【００３０】
このような施工により、図６に示すように、階段横の壁面である被取付物Ｃに手すりＢを取り付けると、図５に示すように、前記手すり止め具１の取付座２はブラケット４の窪み４ａ内に納まり、また、固定腕３はブラケット４の差込孔４ｂ内に嵌入せしめられるので、前記被取付物Ｃに取り付けられている手すり止め具１がブラケット４で覆い隠されて見えない。従って、施工後の手すりの体裁が良い。また、手すり止め具１とブラケット４とを固定するためのねじＥや、ブラケット４と手すりＢとを固定するためのねじＦも見えないので、施工後の手すりの体裁が一層良い。
【００３１】
ブラケット４には、上述したように横長の窪み４ａ及び差込孔４ｂが形成されているので、前記施工時において、階段横の壁面である被取付物Ｃに取り付けられている手すり止め具１に対して、手すりＢを固定したブラケット４の取付位置が多少ずれていても、その誤差を前記横長の窪み４ａ及び差込孔４ｂで吸収することができる。従って、前記手すり止め具１にブラケット４と手すりＢとを取り付ける作業を容易に行うことができる。
【００３２】
なお、上述したように、手すりＢに固定されたこのブラケット４を、図４の矢印で示すように前記手すり止め具１に嵌着し、前記被取付物Ｃに取り付けられている手すり止め具１の周囲を覆い隠した場合において、前記手すり止め具１の固定腕３の先端部は、図５に示すように、手すりＢ側に形成されている差込孔ａにまで達するようにしてある。
このようにすることにより、比較的長い手すりＢの取付安定性をさらに向上させることができる。
【００３３】
ここでは、手すり止め具１に形成されている垂直方向に貫通するねじ孔３ａ、３ｂに、ブラケット４から垂直方向の上向きにねじＥをねじ込むとともに、このねじＥは手すり止め具１から貫通して突出する側のねじ孔３ｂと係合させ、手すり止め具１にねじ込まれる側のねじ孔３ａとは係合させないものとしてある。
この場合には、垂直方向に貫通するねじ孔３ａにねじＥをねじ込みやすい。また、この手すりブラケットＡの構成部材である手すり止め具１とブラケット４の加工精度にばらつきがあって、取付時に手すり止め具１のねじ孔３ａとブラケット４のねじ孔４ａが多少ずれることがあったとしても、あるいは、壁面その他の被取付物Ｃがやわらかくてそれに取り付けるべき手すり止め具１がねじの締め付けにより前記被取付物Ｃに食い込んで、手すり止め具１のねじ孔３ａとブラケット４のねじ孔４ａが多少ずれたとしても、その誤差を大きい孔である前記ねじ孔３ａが吸収してくれるので、手すりＢを壁面その他の被取付物Ｃに容易に取り付けることができる。
【００３４】
なお、ここには、本考案による手すりブラケットＡとこの手すりブラケットＡを用いた手すり取付構造について、あくまでも一例を挙げて説明したが、各構成部材や使用部品については、本考案の趣旨の範囲内で適宜設計変更可能であることは当然である。また、ここでは、階段横の壁面に手すりＢを取り付ける場合を例に挙げて説明したが、その場所についても何等限定されるものではなく、取付可能なところであれば様々な場所に取り付けることができる。
【符号の説明】
【００３５】
１…手すり止め具、２…取付座、３ａ、３ｂ…ねじ孔、４…ブラケット、４ａ…窪み、４ｂ…差込孔、Ａ…手すりブラケット、Ｂ…手すり、Ｃ…被取付物、Ｄ、Ｅ、Ｆ…ねじ。
【図１】
0003153963.tif 000003
【図２】
0003153963.tif 000004
【図３】
0003153963.tif 000005
【図４】
0003153963.tif 000006
【図５】
0003153963.tif 000007
【図６】
0003153963.tif 000008
【図７】
0003153963.tif 000009